(57)【要約】      （修正有）【課題】使用中にユーザーの指等が導体に接触するのを防止した接続器を提供する。【解決手段】第一クリップ片２が、第一クリップ片の歯の外側から把持部の途中まで覆う合成樹脂からなるコの字断面形状の第一カバー４内に固定され、第二クリップ片３が、第二クリップ片の歯の外側から他の把持部まで覆う合成樹脂からなるコの字断面形状の第二カバー５内に固定され、第一クリップ片の他端にリード線７が圧着接続され、合成樹脂からなる筒状のキャップ６でリード線との圧着接続部が覆われるようにした。【選択図】図１
0003165542.tif 000002
【実用新案登録請求の範囲】
【請求項１】
一端に歯が形成され、他端にリード線が接続可能な把持部を有し、導体からなる第一クリップ片と、
一端に前記歯とかみ合う他の歯が形成され、他端に他の把持部を有し、かつ前記歯と前記他の歯とが閉じるように付勢され、前記把持部と前記他の把持部とをつかむことで前記歯と前記他の歯とが開く、導体からなる第二クリップ片と、を備えた接続器において、
前記第一クリップ片が、前記第一クリップ片の前記歯の外側から前記把持部の途中まで覆う合成樹脂からなるコの字断面形状の第一カバー内に固定され、
前記第二クリップ片が、前記第二クリップ片の前記歯の外側から前記他の把持部まで覆う合成樹脂からなるコの字断面形状の第二カバー内に固定され、
前記第一クリップ片の他端にリード線が圧着接続され、合成樹脂からなる筒状のキャップで前記リード線との圧着接続部が覆われたことを特徴とする接続器。
【請求項２】
前記第一カバー及び前記第二カバーの中央部の両側壁をそれぞれ山形状に延出し、いずれか一方のカバーが他方のカバーを覆うと共に、内側のカバーの両側にそれぞれ突起を形成し、外側のカバーの両側の前記突起の位置に凹部をそれぞれ形成し、前記突起を前記凹部にはめ込むことにより支点とすることを特徴とする請求項１記載の接続器。
【請求項３】
前記第一クリップ片の前記歯と前記第二クリップ片の前記他の歯とが閉じるように付勢する付勢手段は、前記第一クリップ片と前記第二クリップ片との間に配置され、前記第一クリップ片の他端と前記第二クリップ片の他端とを離隔するように付勢するねじりバネであることを特徴とする請求項１または２記載の接続器。
【考案の詳細な説明】
【技術分野】
【０００１】
本考案は、電極や端子との間を電気的に接続するためのわに口クリップやみの虫クリップ等の接続器に関する。
【背景技術】
【０００２】
一般に電源や装置の電極や端子との間は、二つのわに口クリップ（みの虫クリップ）をリード線で接続したものや、リード線の一端が装置の端子に接続され、リード線の他端にわに口クリップ（みの虫クリップ）が接続されたものを用いて電気的に接続している。
【０００３】
この種のわに口クリップやみの虫クリップ等の接続器は種々開発されている（例えば、特許文献１、２参照）。
特許文献１に記載の考案は、接続器に関するものであり、具体的には、硬質金属よりなる金属部と、合成樹脂製の掴み部とから成るわに口クリップ、みの虫クリップ、バナナジャック又はＢＮＣジャック等の接続器において、金属部に取付片を形成し、軟質合成樹脂製の絶縁筒により覆われた軟質金属製の圧着スリーブの一方端が金属部の取付片に押し潰して取り付けられて成り、圧着スリーブの他方端内にコードの導線が挿入されてから、圧着スリーブが絶縁筒と一体に潰されることによりコードが圧着スリーブに圧着接続されるものである。
【０００４】
特許文献２に発明は、「被覆付き接続クリップ」に関するものであり、具体的には、バネを掛け渡して軸止めし、挟持部と握り部とを備えた２片の導体のうち、少なくとも一方の導体にリード線が接続され、２片の導体とも握り部から挟持部の中ほどにある滑り止め突起まで絶縁チューブで覆われているものである。
【先行技術文献】
【特許文献】
【０００５】
【特許文献１】実公平２−３２５７号公報
【特許文献２】特開２００８−１３５２０５号公報
【考案の概要】
【考案が解決しようとする課題】
【０００６】
特許文献１に開示されている接続器は、金属製の挟持部が露出しており、特許文献２に開示されている被覆付き接続クリップは、接続器及び金属部が露出している。
このため、特許文献１、２に記載の考案及び発明は、使用中にユーザーの指等が導体からなる挟持部や接続器に触れやすい。
【０００７】
本考案は、上記問題点に鑑みてなされたもので、使用中にユーザーの指等が導体に接触するのを防止した接続器を提供することを目的とする。
【課題を解決するための手段】
【０００８】
上記課題を解決するため、請求項１に記載の考案は、一端に歯が形成され、他端にリード線が接続可能な把持部を有し、導体からなる第一クリップ片と、一端に前記歯とかみ合う他の歯が形成され、他端に他の把持部を有し、かつ前記歯と前記他の歯とが閉じるように付勢され、前記把持部と前記他の把持部とをつかむことで前記歯と前記他の歯とが開く、導体からなる第二クリップ片と、を備えた接続器において、前記第一クリップ片が、前記第一クリップ片の前記歯の外側から前記把持部の途中まで覆う合成樹脂からなるコの字断面形状の第一カバー内に固定され、
前記第二クリップ片が、前記第二クリップ片の前記歯の外側から前記他の把持部まで覆う合成樹脂からなるコの字断面形状の第二カバー内に固定され、前記第一クリップ片の他端にリード線が圧着接続され、合成樹脂からなる筒状のキャップで前記リード線との圧着接続部が覆われたことを特徴とする。
【０００９】
請求項２に記載の考案は、請求項１に記載の考案において、前記第一カバー及び前記第二カバーの中央部の両側壁をそれぞれ山形状に延出し、いずれか一方のカバーが他方のカバーを覆うと共に、内側のカバーの両側にそれぞれ突起を形成し、外側のカバーの両側の前記突起の位置に凹部をそれぞれ形成し、前記突起を前記凹部にはめ込むことにより支点とすることを特徴とする。
【００１０】
請求項３に記載の考案は、請求項１または２に記載の考案において、前記第一クリップ片の前記歯と前記第二クリップ片の前記他の歯とが閉じるように付勢する付勢手段は、前記第一クリップ片と前記第二クリップ片との間に配置され、前記第一クリップ片の他端と前記第二クリップ片の他端とを離隔するように付勢するねじりバネであることを特徴とする。
【考案の効果】
【００１１】
本考案によれば、使用中にユーザーの指等が導体に接触するのを防止した接続器を提供することが可能となる。
【図面の簡単な説明】
【００１２】
【図１】本考案に係る接続器のリード線装着後の一例を示す外観斜視図である。
【図２】（ａ）は、図１に示した接続器の拡大平面図、（ｂ）は、図１に示した接続器の拡大正面図、（ｃ）は、図１に示した接続器の拡大右側面図、（ｄ）は、図１に示した接続器の拡大裏面図である。
【図３】（ａ）〜（ｆ）は、図１に示した接続器に用いられる部品の平面図である。
【図４】（ａ）は、図３（ａ）に示した第一カバー４の裏面図、（ｂ）は、図３（ａ）に示した第一カバー４の平面図、（ｃ）は、図３（ａ）に示した第一カバー４の右側面図、及び（ｄ）は、図４（ｃ）のIVｄ−IVｄ線断面図である。
【図５】（ａ）は、図３（ｂ）に示した第二カバー５の裏面図、（ｂ）は、図３（ｂ）に示した第二カバー５の平面図、（ｃ）は、図３（ｂ）に示した第二カバー５の右側面図、及び（ｄ）は、（ｃ）のＶｄ−Ｖｄ線断面図である。
【図６】（ａ）は、図１に示した接続器に用いられる第一クリップ片２の平面図、（ｂ）は、（ａ）の右側面図、（ｃ）は、図１に示した接続器に用いられる第二クリップ片３の平面図、（ｄ）は、（ｃ）の右側面図である。
【図７】（ａ）は、第一クリップ片２を第一カバー４内に収納した状態を示す平面図であり、（ｂ）は、第二クリップ片３を第二カバー５内に収納した状態を示す平面図であり、（ｃ）は、第一クリップ片２を収納した第一カバー４と、第二クリップ片３を収納した第二カバー５と、ねじりバネとを組み立てた状態を示す側面図である。
【図８】（ａ）は、図１に示したキャップ６の平面図であり、（ｂ）は、（ａ）の側面図であり８（ｃ）は、（ａ）の裏面図であり、（ｄ）は、（ｂ）のVIIIｄ−VIIIｄ線断面図であり、（ｅ）は、（ｃ）のＰ１方向の矢視図であり、（ｆ）は、（ｃ）のＰ２方向の矢視図である。
【図９】図１に示したキャップ６の外観斜視図である。
【図１０】（ａ）〜（ｌ）は、図１に示した接続器へのリード線の接続方法を説明するための説明図である。
【考案を実施するための形態】
【００１３】
以下に本考案の第１の実施形態について、図面を参照して詳細に説明する。
＜接続器の接続構造＞
＜外  観＞
図１〜図１０を参照して接続器の接続構造をわに口クリップの場合で説明する。
図１は、本考案に係る接続器のリード線装着後の一例を示す外観斜視図である。
同図において、接続器１は、リード線７が接続される導体からなる第一クリップ片２、導体からなる第二クリップ片３、合成樹脂からなる第一カバー４、第二カバー５、及び第一クリップ片２に対し後述する歯が閉じるように付勢する図には示されないねじりバネ８からなる接続器本体１ａと、キャップ６とを有するものである。
【００１４】
＜外観拡大＞
図２（ａ）は、図１に示した接続器の拡大平面図、図２（ｂ）は、図１に示した接続器の拡大正面図、図２（ｃ）は、図１に示した接続器の拡大右側面図、図２（ｄ）は、図１に示した接続器の拡大裏面図である。
【００１５】
第一カバー４の中には、第一クリップ片２が固定されている。第一クリップ片２は、先端部（図２（ｃ）では左端）２ａに歯が形成され、後端部（この場合右端）２ｃにリード線（図示せず）が接続されている。第一クリップ片２は、先端部２ａの歯が露出するように（図２（ｃ）では上向きに）、かつ第一カバー４の先端部４ａに位置するように固定されている。
【００１６】
第一クリップ片２の接続部２ｃは、キャップ６により、第一カバー４の後端部４ｃごと覆われている。
第二カバー５の中には、第二クリップ片３が固定されている。第二クリップ片３は、先端部（図２（ｃ）では左端）３ａに歯が形成されている。第二クリップ片３は、歯が露出するように（図２（ｃ）では下向きに）、かつ第二カバー５の先端部５ａ内に固定されている。
【００１７】
第一カバー４の一方の側壁４ｅには貫通孔４ｉが形成され、第二カバー５の側壁５ｈには突起５ｆが形成されており、貫通孔４ｉに突起５ｆが挿入されている（図２（ｃ）の反対側の面も同様である。）。これらの貫通孔４ｉ及び突起５ｆが第一カバー４及び第二カバー５の支点となり回動自在となっている。
【００１８】
第一カバー４と第二カバー５との間には第一クリップ片２の歯と第二クリップ片３の歯とが噛み合うように付勢する付勢手段としてのねじりバネ８が配置されている。第一カバー４の把持部であるキャップ６と第二カバー５の把持部５ｃとをつかむことで、てこの原理により第一カバー４が矢印Ｐ０方向に回動し、先端部２ａ、３ａが開くようになっている。
すなわち、第一カバー４の端部４ｃ、キャップ６と、第二カバー５の端部５ｃとが把持部をなっている。
【００１９】
ここで、本実施形態の接続器は、導体からなる第一クリップ片２及び第二クリップ片３の外側が絶縁体である合成樹脂で被覆され、かつ、第一クリップ片２及び第二クリップ片３の歯が第一カバー４及び第二カバー５の先端部の側面より内側に位置しているので、ユーザーの指等が不用意に歯に接触することが防止される。
【００２０】
＜部品一覧＞
図３（ａ）〜（ｆ）は、図１に示した接続器に用いられる部品の平面図である。
図３（ａ）は、図１に示した接続器に用いられる第一カバー４、図３（ｂ）は、図１に示した接続器に用いられる第二カバー５、図３（ｃ）は、図１に示した接続器に用いられる第一クリップ片２、図３（ｄ）は、図１に示した接続器に用いられる第二クリップ片３、図３（ｅ）は、図１に示した接続器に用いられるキャップ６、図３（ｆ）は、図１に示した接続器に用いられる付勢手段としてのねじりバネ８をそれぞれ示す。
【００２１】
＜第一カバー＞
図４（ａ）は、図３（ａ）に示した第一カバー４の裏面図、図４（ｂ）は、図３（ａ）に示した第一カバー４の平面図、図４（ｃ）は、図３（ａ）に示した第一カバー４の右側面図、及び図４（ｄ）は、図４（ｃ）のIVｄ−IVｄ線断面図である。
第一カバー４は、コの字断面形状を有する合成樹脂（例えば、ポリエチレン、ポリプロピレン等）からなるカバーである。第一カバー４の主板４ｆは、外側に向かって狭くなる台形状の先端部４ａと、矩形状の胴部４ｂと、外側に向かって広くなる台形状の第一後端部４ｃａと、矩形状の第二後端部４ｃｂとを有する。主板４ｆには第一クリップ片２を固定するための突起４ｇが形成されている。
【００２２】
主板４ｆの両側には中央が高い山形状の二つの側壁４ｅ、４ｄが一体化されており、両側壁４ｅ、４ｄには貫通孔４ｈ、４ｉが対向するように形成されている。
第二後端部４ｃｂの裏面には外側に向かって薄くなる三角断面形状の突起４ｃｃが形成されている。この突起４ｃｃは、後述するキャップ６が第一カバー４の第二後端部４ｃｂに挿入されたときに、その第一カバー４の貫通孔６ｂに入り込むことで、キャップ６が第一カバー４から抜けるのを防止するための突起である。
主板４ｆの第一後端部４ｃａの底面４ｆａは、中央から外側に向かって下がる斜面と上に向かう段差４ｆｂを有する。これは、ねじりバネ８の一方（例えば、図３(ｆ)の下端）の先端８ａが突き当たることで第一カバー４及び第二カバー５との間に固定するためのものである。
ここで、両貫通孔４ｈ、４ｉの内径をｄ１とし、両側壁４ｅ、４ｄの内側の間隔をｄ２とする。
【００２３】
＜第二カバー＞
図５（ａ）は、図３（ｂ）に示した第二カバー５の裏面図、図５（ｂ）は、図３（ｂ）に示した第二カバー５の平面図、図５（ｃ）は、図３（ｂ）に示した第二カバー５の右側面図、及び図５（ｄ）は、図５（ｃ）のＶｄ−Ｖｄ線断面図である。
【００２４】
第二カバー５は、コの字断面形状を有する合成樹脂からなるカバーである。第二カバー５の主板５ｋは、外側に向かって広くなった後狭くなる六角形状の先端部５ａと、矩形状の胴部５ｂと、胴部５ｂより幅広の矩形状の把持部５ｃとを有する。主板５ｋの内側には図５（ｂ）に示すように第二クリップ片３を固定するための突起５ｇが形成されている。主板５ｋの裏面には図５（ａ）に示すように滑り止め用の凹凸が形成されている。
主板５ｋの両側には中央が高い山形状の二つの側壁５ｈ、５ｉが形成されている。両側壁５ｈ、５ｉの後端（図の右端）には両側壁５ｈ、５ｉに連続するように側壁５ｊが形成されている。両側壁５ｈ、５ｉには中心が共通となるように突起５ｅ、５ｆが形成されている。第二カバー５の側壁５ｈ、５ｉの外面の間隔ｄ２は、第一カバー４の側壁４ｄ、４ｅの間に、第一カバー４の両側壁４ｄ、４ｅを挿入したときに、第二カバー５が回動できる程度の間隔であればよい（ｄ２＞ｄ４）。
【００２５】
突起５ｅ、５ｆは、たとえば平面が長円で、側面が丸みを帯びた台形で、図５（ｄ）の上から下にむかって細くなっている。これは、第二カバー５の突起５ｅ、５ｆを第一カバー４の貫通孔４ｈ、４ｉに挿入しやすくするためである。突起５ｅ、５ｆの最大外径ｄ３は、第二カバー５が回動できる程度であればよい（ｄ３＞ｄ１）。
【００２６】
尚、第一カバー４及び第二カバー５は、合成樹脂からなり、所定の弾性を有するので、第二カバー５の突起５ｅ、５ｆを第一カバー４の貫通孔４ｈ、４ｉに挿入する際、第一カバー４の側壁４ｄ、４ｅは広がると共に第二カバー５の側壁５ｈ、５ｉは狭くなり、突起５ｅ、５ｆを第一カバー４の貫通孔４ｈ、４ｉに挿入した後は復元するので、突起５ｅ、５ｆが貫通孔４ｈ、４ｉから抜けることはない。
【００２７】
ここで、貫通孔４ｈ、４ｉと、突起５ｅ、５ｆとは、接続器本体１ａにおける支点の機能を有しており、一般的な開閉構造におけるピンと貫通孔との関係に比べて工程数や部品数を減少させることが期待できる。すなわち、一般的な開閉構造においては、第一カバーと第二カバーとピンとが必要であるのに対し、本実施形態では第一カバーと第二カバーとで開閉構造を構成することができるのである。
【００２８】
＜第一クリップ片及び第二クリップ片＞
図６（ａ）は、図１に示した接続器に用いられる第一クリップ片２の平面図、図６（ｂ）は、図６（ａ）の右側面図、図６（ｃ）は、図１に示した接続器に用いられる第二クリップ片３の平面図、図６（ｄ）は、図６（ｃ）の右側面図である。
【００２９】
第一クリップ片２は、導体からなり、ほぼボート形状を有する。第一クリップ片２は、先に向かって細い先端部（図６（ａ）の左端部）２ａに歯が形成され、ほぼ矩形状の胴部２ｂに円形の貫通孔２ｄと正方形の貫通孔２ｅとが形成され、後端部２ｃには筒状のリード線導体収納部２ｃａと、Ｃ字断面形状のリード線導体収納部２ｃｂとが形成されている。
貫通孔２ｄは、第一カバー４の突起４ｇに挿入されることで第一カバー４内に固定されるための孔である。貫通孔２ｅは、ねじりバネ８の他方（例えば、図３(ｆ)の上端）の先端８ｂが突き当たることで第一カバー４及び第二カバー５との間に回動自在に固定するためのものである。
【００３０】
リード線導体収納部２ｃａ、２ｃｂは、リード線７の導体７ｂ（図１０参照）を圧着接続するためのものである。リード線導体収納部２ｃａは圧着されるとそのままへこんで導体７ｂを押圧するが、リード線導体収納部２ｃｂは、圧着されると分割部２ｃｃが導体７ｂに突き刺さるように押圧する。
【００３１】
第二クリップ片３は、コの字断面形状を有し、先に向かって細く、歯が形成された先端部３ａと、コの字断面形状を有する矩形状の胴部３ｂとを有する。先端部３ａには円形の貫通孔３ｃが形成されている。この貫通孔３ｃは、第二クリップ片３を第二カバー５内に収納したときに第二カバー５の突起５ｇが挿入することで、第二クリップ片３が固定されるものである。
【００３２】
図７（ａ）は、第一クリップ片２を第一カバー４内に収納した状態を示す平面図であり、図７（ｂ）は、第二クリップ片３を第二カバー５内に収納した状態を示す平面図であり、図７（ｃ）は、第一クリップ片２を収納した第一カバー４と、第二クリップ片３を収納した第二カバー５と、ねじりバネとを組み立てた状態を示す側面図である。
第一クリップ片２を収納した第一カバー４の主板４ｆの上にねじりバネ８を配置し、第二クリップ片３を収納した第二カバー５を把持部５ｃが上向きになるようにして、第一カバー４の側壁４ｅ、４ｄの間に、第二カバー５の側壁５ｈ、５ｉを挿入し、ねじりバネ８を第一カバー４で押圧しながら第一カバー４の貫通孔４ｈ、４ｉに、第二カバー５の突起５ｆ、５ｇを押し込むことにより、接続器本体１ａが得られる。
【００３３】
＜キャップ＞
図８（ａ）は、図１に示したキャップ６の平面図であり、図８（ｂ）は、図８（ａ）の側面図であり、図８（ｃ）は、図８（ａ）の裏面図であり、図８（ｄ）は、図８（ｂ）のVIIIｄ−VIIIｄ線断面図であり、図８（ｅ）は、図８（ｃ）のＰ１方向の矢視図であり、図８（ｆ）は、図８（ｃ）のＰ２方向の矢視図である。図９は、図１に示したキャップ６の外観斜視図である。
【００３４】
キャップ６は、矩形状の胴部６ｂと、胴部６ｂの縁から突出した突起６ａと、テーパ状の後端部６ｃとを有する。突起６ａは、第一カバー４装着時にねじりバネ８の脱落を防止するためのものである。胴部６ｂの裏面には矩形状の貫通孔６ｄが形成されており、第一カバー４装時に第一カバー４の第二後端部４ｃｂの突起４ｃｃが挿入することでキャップ６が抜けるのが防止される。胴部６ｂの開口６ｅは第一カバー４の第二端部４ｃｂに装着可能な大きさを有し、後端部６ｃの開口６ｆは、リード線７が貫通可能な大きさを有する。
【００３５】
＜接続器の接続方法＞
図１０（ａ）〜（ｌ）は、図１に示した接続器へのリード線の接続方法を説明するための説明図である。このうち、図１０（ｈ）〜（ｌ）は、リード線の導体の状態を示す図である。
まず、第一クリップ片２、第二クリップ片３、第一カバー４、第二カバー５、及びねじりバネ８からなる接続器本体１ａ、被覆７ｂを除去して導体７ａを露出させたリード線７、及びキャップ６を準備し、リード線７に矢印Ｐ３方向にキャップ６を被せる（図１０（ａ））。
接続器本体１ａの第一クリップ片２の接続２ｃに、リード線７の導体７ａを矢印Ｐ４方向に挿入させる（図１０（ｂ）、（ｃ））。
接続器本体１ａの第一端部２ｃａを矢印Ｐ５方向に加圧してリード線７の導体７ａの一部を圧着接続する（図１０（ｄ））。
接続器本体１ａの第二端部２ｃｂを矢印Ｐ６方向に加圧してリード線７の導体７ａの残りを圧着接続する（図１０（ｅ））。
接続器本体１ａの第一カバー４の後端部４ｃ、第一クリップ片２の接続部２ｃを覆うようにキャップ６を矢印Ｐ７方向に移動させることでリード線７が接続された接続器１が得られる（図１０（ｆ）、（ｇ））。
【００３６】
＜作用効果＞
本実施形態によれば、電流が流れる導体からなるクリップ片の外側が絶縁体であるカバーで覆われているので、ユーザーの指等が導体に接触するおそれがない。
本実施形態によれば、第一カバーと第二カバーとが側壁に形成された突起と貫通孔とで回動させることができるため、ピンを用いる必要がなく、その分工程数とコストとを削減することができる。
【００３７】
以上、本考案の好適な実施形態により本考案を説明した。ここでは特定の具体例を示して本考案を説明したが、実用新案登録請求の範囲に定義された本考案の広範囲な趣旨及び範囲から逸脱することなく、これら具体的に様々な修正及び変更が可能である。
例えば、上述した実施形態ではわに口クリップの場合で説明したが、本考案はこれに限定されるものではなく、みの虫クリップに適用してもよく、この場合には把持部を短くした第一カバー及び第二カバーを絶縁チューブで覆うことが考えられる。
【符号の説明】
【００３８】
１    接続器
１ａ    接続器本体
２    第一クリップ片
２ａ、３ａ、４ａ、５ａ    先端部
２ｂ、３ｂ、４ｂ、５ｂ、６ｂ    胴部
２ｃ    接続部
２ｃａ、２ｃｂ    リード線導体収納部
２ｃｃ    分割部
２ｄ、２ｅ、３ｃ、４ｈ、４ｉ、６ｄ    貫通孔
３    第二クリップ片
４    第一カバー
４ｃ、６ｃ    後端部
４ｃａ    第一後端部
４ｃｂ    第二後端部
４ｃｃ、４ｇ、５ｅ、５ｆ、５ｇ、６ａ    突起
４ｄ、４ｅ、５ｈ、５ｉ、５ｊ    側壁
４ｆ、５ｋ    主板
５    第二カバー
５ｃ    把持部
６    キャップ
６ｃ    端部
６ｅ、６ｆ    開口
７    リード線
７ａ    導体
７ｂ    被覆
８    ねじりバネ
８ａ、８ｂ    端部
【図１】
0003165542.tif 000003
【図２】
0003165542.tif 000004
【図３】
0003165542.tif 000005
【図４】
0003165542.tif 000006
【図５】
0003165542.tif 000007
【図６】
0003165542.tif 000008
【図７】
0003165542.tif 000009
【図８】
0003165542.tif 000010
【図９】
0003165542.tif 000011
【図１０】
0003165542.tif 000012